(57)【要約】      （修正有）【課題】接続箇所の接続効果を向上させ、ぐらつきを低減させ、強度を強化させる園芸用支柱を提供する。【解決手段】金属管１と、金属管１の外壁を被覆するプラスチック層２とを備える。金属管１の第１端部及び第２端部には、雌型頭部及び雄型頭部が配置されている。雌型頭部は、金属管１と同軸であり、内壁に雌ネジを有する中空円柱形の第１接続部、及び、第１接続部に固定接続された嵌合カバーを含み、雄型頭部は、金属管と同軸であり、雌ネジに適合する雄ネジを外壁に有する円柱形の第２接続部、及び、雄ネジの末端に位置し、第２接続部に固定接続された嵌合ヘッドを含む。１つの園芸用支柱の嵌合ヘッドは、もう１つの園芸用支柱の嵌合カバーに被覆され得、嵌合ヘッドと嵌合カバーとは締まり嵌めによって嵌合される。【選択図】図１
0003220276.tif 000002
【実用新案登録請求の範囲】
【請求項１】
金属管と、前記金属管の外壁を被覆するプラスチック層とを備えた園芸用支柱であって、前記金属管の第１端部及び第２端部には、雌型頭部及び雄型頭部がそれぞれ配置されており、前記雌型頭部は、前記金属管と同軸であり、内壁に雌ネジを有する中空円柱形の第１接続部、及び、前記第１接続部に固定接続された嵌合カバーを含み、前記雄型頭部は、前記金属管と同軸であり、前記雌ネジに適合する雄ネジを外壁に有する円柱形の第２接続部、及び、前記雄ネジの末端に位置し、前記第２接続部に固定接続された嵌合ヘッドを含み、
１つの前記園芸用支柱の前記嵌合ヘッドは、もう１つの前記園芸用支柱の前記嵌合カバーに被覆され得、前記嵌合ヘッドと前記嵌合カバーとは締まり嵌めによって嵌合されることを特徴とする園芸用支柱。
【請求項２】
前記嵌合カバーの外壁は傾斜斜面を有することを特徴とする請求項１に記載の園芸用支柱。
【請求項３】
前記嵌合ヘッドは円柱体であることを特徴とする請求項１に記載の園芸用支柱。
【請求項４】
前記雄ネジのピッチは、前記第２接続部の直径の２／３であり、前記雄ネジの横断面が台形であり、前記台形の下底辺の長さは、前記第２接続部の直径の１／４であることを特徴とする請求項１に記載の園芸用支柱。
【請求項５】
前記雌型頭部は、前記第１接続部に固定された第１固定カバーをさらに含み、前記第１固定カバーは、前記第１端部を被覆し、且つ前記第１端部の端部口を封鎖していることを特徴とする請求項１に記載の園芸用支柱。
【請求項６】
前記雄型頭部は、前記嵌合ヘッドに固定された第２固定カバーをさらに含み、前記第２固定カバーは、前記第２端部を被覆し、且つ前記第２端部の端部口を封鎖していることを特徴とする請求項１に記載の園芸用支柱。
【請求項７】
前記第２接続部の端部は、円錐形となっていることを特徴とする請求項１に記載の園芸用支柱。
【請求項８】
前記プラスチック層の外壁には、軸方向に沿って分布する複数の凸部を含む少なくとも１つの補助リブが設けられていることを特徴とする請求項１に記載の園芸用支柱。
【請求項９】
複数の前記凸部は、前記プラスチック層の軸方向に沿って螺旋状に分布していることを特徴とする請求項８に記載の園芸用支柱。
【請求項１０】
前記プラスチック層の外径は、３０ミリメートル未満であり、前記金属管の長さは、４メートル未満であることを特徴とする請求項１に記載の園芸用支柱。
【考案の詳細な説明】
【技術分野】
【０００１】
本考案は、園芸に使用される部材に関し、特に園芸用支柱に関する。
【背景技術】
【０００２】
農業生産の分野において、農民は通常、木柱や竹竿を使用して、よくあるヘチマ、フジマメ及びトマト等のような蔓植物やクライミング植物の成長を助けるための支柱フレームを組み立てる。これらの木柱又は竹竿は、環境にやさしいが、風雨に曝されると老朽化して破断してしまう。これにより、植物の成長に寄与できなくなる一方で、使い捨てであるため、大量の木柱や竹竿が無駄になる。また、花卉園芸の分野においても、花卉の形を決めるためのフラワースタンドが必要である。
【０００３】
従って、農業生産及び花卉栽培のために特別に設計された園芸用支柱が登場している。このような園芸用支柱は、金属管と、金属管を被覆したプラスチック層とを備えており、金属管の両端のそれぞれにプラスチック製ロッドカバーが取り付けられている。１つのプラスチック製ロッドカバーは、土壌に挿入しやすいような円錐状であり、もう１つのプラスチック製ロッドカバーは平面状である。例えば、２０１４年７月２日に公開された、公開番号がＣＮ２０３６７５７８０Ｕである中国実用新案には、金属管と、金属管を被覆したプラスチック層とを備えた高強度の園芸用支柱が開示されている。金属管の両端は円錐台形であり、プラスチック層の表面は、少なくとも１本が金属管の軸方向に沿って設けられた３〜４本の補助リブを有する。補助リブは、プラスチック層の表面に対して波状となっており、金属管の両端は、それぞれ尖ったカバー及びフラットカバーを有する。この高強度の園芸用支柱は、金属管の両端が円錐台形となっているため、支柱を打撃する際にプラスチックカバーの損傷をある程度低減できる。しかし、繰り返して使用すると、プラスチックカバーは依然として損傷してしまう。また、この園芸用支柱は長さが固定されており、ユーザのニーズに応じて様々な長さを有する製品を生産しなければならないため、原材料の調達、生産、廃棄物の処理、輸送等のコストが増加する。
【考案の概要】
【考案が解決しようとする課題】
【０００４】
本考案は、従来技術における園芸用支柱の接続箇所での接続効果が劣り、ぐらつきが起こりやすいという問題を解決するための園芸用支柱を提供する。
【課題を解決するための手段】
【０００５】
上記の技術的問題を解決するための本考案の技術的解決手段は、下記の通りである。園芸用支柱であって、金属管と、前記金属管の外壁を被覆するプラスチック層とを備えている。前記金属管の第１端部及び第２端部には、雌型頭部及び雄型頭部がそれぞれ配置されており、前記雌型頭部は、前記金属管と同軸であり、内壁に雌ネジを有する中空円柱形の第１接続部、及び、前記第１接続部に固定接続された嵌合カバーを含み、前記雄型頭部は、前記金属管と同軸であり、前記雌ネジに適合する雄ネジを外壁に有する円柱形の第２接続部、及び、前記雄ネジの末端に位置し、前記第２接続部に固定接続された嵌合ヘッドを含む。
【０００６】
１つの前記園芸用支柱の前記嵌合ヘッドは、もう１つの前記園芸用支柱の前記嵌合カバーに被覆され得る。前記嵌合ヘッドと前記嵌合カバーとは締まり嵌めによって嵌合される。
【０００７】
好ましくは、前記嵌合カバーの外壁は傾斜斜面を有する。
【０００８】
好ましくは、前記嵌合ヘッドは円柱体である。
【０００９】
好ましくは、前記雄ネジのピッチは、前記第２接続部の直径の２／３であり、前記雄ネジの横断面が台形であり、前記台形の下底辺の長さは、前記第２接続部の直径の１／４である。
【００１０】
好ましくは、前記雌型頭部は、前記第１接続部に固定された第１固定カバーをさらに含む。前記第１固定カバーは、前記第１端部を被覆し、且つ前記第１端部の端部口を封鎖している。
【００１１】
好ましくは、前記雄型頭部は、前記嵌合ヘッドに固定された第２固定カバーをさらに含む。前記第２固定カバーは、前記第２端部を被覆し、且つ前記第２端部の端部口を封鎖している。
【００１２】
好ましくは、前記第２接続部の端部は、円錐形となっている。
【００１３】
好ましくは、前記プラスチック層の外壁には、軸方向に沿って分布する複数の凸部を含む少なくとも１つの補助リブが設けられている。
【００１４】
好ましくは、複数の前記凸部は、前記プラスチック層の軸方向に沿って螺旋状に分布している。
【００１５】
好ましくは、前記プラスチック層の外径は、３０ミリメートル未満であり、前記金属管の長さは、４メートル未満である。
【考案の効果】
【００１６】
本考案の有益な効果は、このような園芸用支柱において、嵌合ヘッドと嵌合カバーとの間の締まり嵌めにより、園芸用支柱の接続箇所の接続効果が向上し、ぐらつきが低減され、強度が強化されることである。
【図面の簡単な説明】
【００１７】
以下、図面及び実施例と併せて、本考案について詳細に説明する。
【００１８】
【図１】本考案に係る園芸用支柱の部分的に破断させた構成概略図である。
【図２】本考案に係る園芸用支柱の最適な実施形態の構成概略図である。
【図３】本考案に係る園芸用支柱のもう１つの実施形態の構成概略図である。
【図４】図３におけるＡ箇所の拡大図である。
【図５】図３におけるＢ箇所の拡大図である。
【図６】本考案に係る雄ネジの縦断面の構成概略図である。
【考案を実施するための形態】
【００１９】
以下、本考案の実施形態について詳細に説明する。実施形態の例は図面に表示され、同一又は類似のすべての表示番号は、同一若しくは類似の部品、又は、同一若しくは類似の機能を有する部品を示す。参考用図面と共に記載される以下の実施形態は、本考案を説明するための例示的なもののみであり、本考案を限定するものではない。一方、本考案に係る実施形態は、添付の実用新案登録請求の範囲の精神及び意味の範囲内に属するすべての変化、修正及び等価物を含む。
【００２０】
図１〜５に示すように、本考案に係る園芸用支柱は、金属管１、金属管１の外壁を被覆するプラスチック層２を含む。金属管１の第１端部１１及び第２端部１２には、雌型頭部１３及び雄型頭部１４がそれぞれ配置されている。雌型頭部１３は、金属管１と同軸であり、内壁に雌ネジを有する中空円柱形の第１接続部、及び、第１接続部に固定接続された嵌合カバー１６を含む。雄型頭部１４は、金属管１と同軸であり、雌ネジに適合する雄ネジ１４１を外壁に有する円柱形の第２接続部、及び、雄ネジ１４１の末端に位置し、第２接続部に固定接続された嵌合ヘッド１５を含む。ここで、末端は、雄ネジ１４１の金属管１に近い一端を示す。ここで、嵌合カバー１６と第１接続部とは、一体化されたプラスチック部品であり、嵌合ヘッド１５と第２接続部とも一体化されたプラスチック部品である。嵌合カバー１６の内部空間の形状も嵌合ヘッド１５も円柱体であり、また、嵌合カバー１６と嵌合ヘッド１５とは締まり嵌めによって嵌合される。
【００２１】
ユーザは、長さに対する自身のニーズに応じて、１本の支柱の雄型頭部１４を別の１本の支柱の雌型頭部１３にねじ込めば、２本の棒を接続することができる。
【００２２】
１つの園芸用支柱の嵌合ヘッド１５は、もう１つの園芸用支柱の嵌合カバー１６に被覆され得る。嵌合ヘッド１５と嵌合カバー１６とは締まり嵌めによって嵌合される。締まり嵌めという設計により、接続強度が強化され、接続箇所でのぐらつき現象がある程度回避される。
【００２３】
このような園芸用支柱において、嵌合ヘッド１５と嵌合カバー１６との間の締まり嵌めにより、園芸用支柱の接続箇所の接続効果が向上し、ぐらつきが低減され、強度が強化される。
【００２４】
嵌合カバー１６の外壁は、傾斜斜面１６１を有する。傾斜斜面１６１を設けることにより、嵌合カバー１６が嵌合ヘッド１５によって押し付けられると、傾斜斜面１６１も同時に押し付けられ、嵌合ヘッド１５を被覆する効果をある程度果たしている。
【００２５】
嵌合ヘッド１５は円柱体である。雄ネジ１４１のピッチは、第２接続部の直径の２／３であり、雄ネジ１４１の横断面が台形であり、台形の下底辺１４１１の長さは、第２接続部の直径の１／４である。
【００２６】
雌型頭部１３は、第１接続部に固定された第１固定カバー１７をさらに含む。第１固定カバー１７は、第１端部１１を被覆し、且つ第１端部１１の端部口を封鎖している。第１固定カバー１７と第１端部１１とは、プラスチック製であり、且つ一体化されている。
【００２７】
雄型頭部１４は、嵌合ヘッド１５に固定された第２固定カバー１８をさらに含む。第２固定カバー１８は、第２端部１２を被覆し、且つ前記第２端部１２の端部口を封鎖している。第２固定カバー１８と第２端部１２とは、プラスチック製であり、且つ一体化されている。
【００２８】
第２接続部の端部は、円錐形となっている。第２接続部が第１接続部内に挿入しやすくなるように、円錐形端部ヘッド１４２が設けられている。また、円錐形端部ヘッド１４２は、土にも挿入しやすくなる。
【００２９】
プラスチック層２の外壁には、軸方向に沿って分布する複数の凸部１９をそれぞれ含む少なくとも１つの補助リブが設けられている。凸部１９により、蔓植物やクライミング植物が補助リブでの付着力が向上し、蔓植物やクライミング植物が登りやすくなり、雨風に打たれても農作物が滑りにくくなる。
【００３０】
複数の凸部１９は、プラスチック層２の軸方向に沿って螺旋状に分布している。なお、軸方向に沿ってまっすぐに分布してもよい。
【００３１】
また、一例において、プラスチック層２の外径は、１０ミリメートル、２０ミリメートル又は３０ミリメートルであり、金属管１の長さは、１メートル、２メートル、３メートル又は４メートルである。
【００３２】
本明細書の記述において、「１つの実施形態」、「一部の実施形態」、「例」、「具体的な例」、又は「一例」等の参考用語は、当該実施形態又は例に記載の具体的な特徴、構造、材料又は特質が、本考案の少なくとも１つの実施形態又は例に含まれることを意味する。本明細書において、上記の用語の例示的な表現は、必ずしも同じ実施形態又は例を示すものではない。また、記載の具体的な特徴、構造、材料又は特質について、任意の１つ又は複数の、実施形態又は例において適切な方法で組み合わせることができる。
【００３３】
上述した本考案に係る好ましい実施形態を啓示として、上記の説明内容によって、当業者は、本考案の技術的思想の範囲から逸脱しないかぎり、様々な変更や修正を行うことができる。本考案の技術的範囲は、明細書に記載されている内容に限定されず、実用新案登録請求の範囲によって技術的範囲を確定すべきである。
【符号の説明】
【００３４】
１  金属管
２  プラスチック層
１１  第１端部
１２  第２端部
１３  雌型頭部
１４  雄型頭部
１４１  雄ネジ
１４１１  下底辺
１４２  円錐形端部ヘッド
１５  嵌合ヘッド
１６  嵌合カバー
１６１  傾斜斜面
１７  第１固定カバー
１８  第２固定カバー
１９  凸部
【図１】
0003220276.tif 000003
【図２】
0003220276.tif 000004
【図３】
0003220276.tif 000005
【図４】
0003220276.tif 000006
【図５】
0003220276.tif 000007
【図６】
0003220276.tif 000008